(57)【要約】【課題】多様な使用者が使用する場合に、利便性を向上できるユーザーインターフェース装置を提供する。【解決手段】使用者の操作パネル１０、読み取り部２０等に対する操作可能範囲を推定し、推定した操作可能範囲に応じて、操作パネル１０の使用者に対する相対位置を変化させたり、読み取り部２０の高さを変化させたりするなどの調整制御を行うユーザーインターフェース装置である。【選択図】図１
2007158646.tif 000002
【特許請求の範囲】
【請求項１】
使用者による操作の対象となる操作パネルを備えるユーザーインターフェース装置において、
使用者の前記操作パネルに対する操作可能範囲を推定する操作可能範囲推定手段と、
前記推定した操作可能範囲に応じて、前記操作パネルの使用者に対する相対位置を変化させる操作パネル制御手段と、
を含むことを特徴とするユーザーインターフェース装置。
【請求項２】
請求項１に記載のユーザーインターフェース装置において、
前記操作パネル制御手段は、前記操作パネルの高さ、向き、又は使用者からの距離の少なくともいずれか一つを変化させることにより、使用者に対する相対位置を変化させることを特徴とするユーザーインターフェース装置。
【請求項３】
読み取り対象となる原稿が載置され、当該載置された原稿を読み取る読み取り部を備える画像読取装置において、
使用者の前記読み取り部に対する操作可能範囲を推定する操作可能範囲推定手段と、
前記推定した操作可能範囲に応じて、前記読み取り部の高さを変化させる読み取り制御手段と、
を含むことを特徴とする画像読取装置。
【請求項４】
読み取り対象となる原稿が載置される原稿載置ガラスと、当該原稿載置ガラスに載置された原稿をスキャンすることで画像を読み取るスキャナと、を備える画像読取装置において、
使用者の前記原稿載置ガラスに対する操作可能範囲を推定する操作可能範囲推定手段と、
前記推定した操作可能範囲に応じて、前記原稿載置ガラス上で原稿を載置する位置の基準となる載置基準位置を変更する基準位置変更手段と、
前記スキャナが読み取った画像のうち、前記載置基準位置に基づいて決定する所定領域に含まれる画像を複写対象画像として取得する画像取得手段と、
を含むことを特徴とする画像読取装置。
【請求項５】
請求項４に記載の画像読取装置において、
前記基準位置変更手段が前記載置基準位置を変更した場合に、変更された載置基準位置を表す情報を表示する基準位置表示手段をさらに含むことを特徴とする画像読取装置。
【請求項６】
読み取り対象となる原稿が載置される原稿載置ガラスと、当該原稿載置ガラスを遮蔽するように開閉可能なカバーと、を備える画像読取装置において、
使用者の前記カバーに対する操作可能範囲を推定する操作可能範囲推定手段と、
前記推定した操作可能範囲に応じて、前記カバーの可動範囲を規制するカバー制御手段と、
を含むことを特徴とする画像読取装置。
【請求項７】
利用者の身体的特徴を認識する特徴認識手段と、
前記特徴認識手段によって認識された身体的特徴に基づいて、利用者が操作する範囲を変更するようにした変更手段と、
を有するユーザーインターフェース装置。
【請求項８】
請求項７のユーザーインターフェース装置において、
さらに、利用者が操作指示を行なう操作部を有し、
前記変更手段は前記操作部の位置を変更することによって利用者が操作する範囲を変更するようにしたものであるユーザーインターフェース装置。
【請求項９】
請求項７のユーザーインターフェース装置において、 
該ユーザーインターフェース装置は原稿上の画像を読み取らせるための読取装置に備えられるものであって、
前記読取装置に読み取らせるための原稿を利用者が載置するための原稿載置部を有し、
前記変更手段は前記原稿載置部に対して原稿を載置すべき位置を変更することによって利用者が操作する範囲を変更するようにしたものであるユーザーインターフェース装置。
【請求項１０】
請求項７のユーザーインターフェース装置において、 
該ユーザーインターフェース装置は、原稿を載置するための原稿載置ガラスと、前記原稿載置ガラスを覆うカバーを有する画像読取装置に備えられるものであって、
前記変更手段は、前記カバーの操作する範囲を変更することによって利用者が操作する範囲を変更するようにしたものであるユーザーインターフェース装置。
【発明の詳細な説明】
【技術分野】
【０００１】
本発明は、多様な使用者が使用する複写機などの画像読取装置及びユーザーインターフェース装置に関する。
【背景技術】
【０００２】
画像読取装置（例えば複写機、スキャナ装置）などのユーザーインターフェース部分を備えたユーザーインターフェース装置の使用者には、例えば子供や背の低い人物、日常的に車椅子を使用する人物などもいる。このような使用者にとって、ある程度の背の高さの人物が使用することを想定して設計された複写機等は、原稿を載置する場所や操作指示を行う操作パネルなどに手が届きにくかったり、当該操作パネル上に表示される内容が見にくかったりするために、使いにくい場合がある。
【０００３】
このような問題に対応するため、指紋などの個人認証情報やＩＣカードなどを用いて使用者を特定し、特定された使用者に応じて操作パネル等を調整する技術がある（例えば特許文献１及び２を参照）。
【特許文献１】特開２００２‐３７０４２１号公報
【特許文献２】特開２００３‐３３７５０５号公報
【発明の開示】
【発明が解決しようとする課題】
【０００４】
しかしながら、上記従来例の技術によれば、予め使用者を特定するための個人特定情報を複写機等に登録する必要がある。そのため、例えばコンビニエンスストアなど、初めて当該複写機を使用する使用者が多い場所に配置される複写機などで、個人特定情報の登録がされていない場合に、望ましい制御を行うことができない。
【０００５】
また、このような複写機等が使用者を特定するためには、使用者が複写機等に近づいて指紋やＩＣカードなどを複写機等に読み取らせる必要があって操作性を向上できない。また、使用者は複写機等に近づいた後、複写機等が使用者を特定して操作パネル等の調整を終えるまで待つ必要があり、利便性が低い。
【０００６】
本発明は上記実情に鑑みてなされたものであって、その目的の一つは、多様な使用者が使用する場合に、利便性を向上できるユーザーインターフェース装置及び画像読取装置を提供することにある。
【課題を解決するための手段】
【０００７】
上記課題を解決するための本発明に係るユーザーインターフェース装置は、使用者による操作の対象となる操作パネルを備えるユーザーインターフェース装置であって、使用者の前記操作パネルに対する操作可能範囲を推定する操作可能範囲推定手段と、前記推定した操作可能範囲に応じて、前記操作パネルの使用者に対する相対位置を変化させる操作パネル制御手段と、を含むことを特徴とする。
【０００８】
これにより、使用者の登録の有無に関わらず、使用者の操作可能範囲に応じて操作パネルの位置を調整することで、使用者にとって操作パネルを見やすく、又は操作しやすくすることができ、使用者の利便性を向上できる。
【０００９】
また、上記ユーザーインターフェース装置において、前記操作パネル制御手段は、前記操作パネルの高さ、向き、又は使用者からの距離の少なくともいずれか一つを変化させることにより、使用者に対する相対位置を変化させることとしてもよい。
【００１０】
また、本発明に係る画像読取装置は、読み取り対象となる原稿が載置され、当該載置された原稿を読み取る読み取り部を備える画像読取装置であって、使用者の前記読み取り部に対する操作可能範囲を推定する操作可能範囲推定手段と、前記推定した操作可能範囲に応じて、前記読み取り部の高さを変化させる読み取り制御手段と、を含むことを特徴とする。
【００１１】
これにより、使用者の登録の有無に関わらず、使用者の操作可能範囲に応じて読み取り部の高さを調整することで、使用者が読み取り部上に原稿を載置させやすくなり、使用者の利便性を向上できる。
【００１２】
また、本発明に係る別の画像読取装置は、読み取り対象となる原稿が載置される原稿載置ガラスと、当該原稿載置ガラスに載置された原稿をスキャンすることで画像を読み取るスキャナと、を備える画像読取装置であって、使用者の前記原稿載置ガラスに対する操作可能範囲を推定する操作可能範囲推定手段と、前記推定した操作可能範囲に応じて、前記原稿載置ガラス上で原稿を載置する位置の基準となる載置基準位置を変更する基準位置変更手段と、前記スキャナが読み取った画像のうち、前記載置基準位置に基づいて決定する所定領域に含まれる画像を複写対象画像として取得する画像取得手段と、を含むことを特徴とする。
【００１３】
これにより、使用者の登録の有無に関わらず、使用者の操作可能範囲に応じて載置基準位置を変更することで、使用者が原稿載置ガラス上に原稿を載置させやすくなり、使用者の利便性を向上できる。
【００１４】
また、上記画像読取装置は、前記基準位置変更手段が前記載置基準位置を変更した場合に、変更された載置基準位置を表す情報を表示する基準位置表示手段をさらに含むこととしてもよい。
【００１５】
また、本発明に係る別の画像読取装置は、読み取り対象となる原稿が載置される原稿載置ガラスと、当該原稿載置ガラスを遮蔽するように開閉可能なカバーと、を備える画像読取装置であって、使用者の前記カバーに対する操作可能範囲を推定する操作可能範囲推定手段と、前記推定した操作可能範囲に応じて、前記カバーの可動範囲を規制するカバー制御手段と、を含むことを特徴とする。
【００１６】
これにより、使用者の登録の有無に関わらず、使用者の操作可能範囲に応じてカバーの可動範囲を規制することで、使用者にとってカバーの可動範囲が広すぎて開閉しにくくなることを防ぐことができ、使用者の利便性を向上できる。
【００１７】
また、本発明に係る別のユーザーインターフェース装置は、利用者の身体的特徴を認識する特徴認識手段と、前記特徴認識手段によって認識された身体的特徴に基づいて、利用者が操作する範囲を変更するようにした変更手段と、を有することを特徴とする。
【００１８】
さらに、上記ユーザーインターフェース装置は、利用者が操作指示を行なう操作部を有し、前記変更手段は前記操作部の位置を変更することによって利用者が操作する範囲を変更するようにしたものであることとしてもよい。
【００１９】
また、上記ユーザーインターフェース装置は、原稿上の画像を読み取らせるための読取装置に備えられるものであって、読取装置に読み取らせるための原稿を利用者が載置するための原稿載置部を有し、前記変更手段は前記原稿載置部に対して原稿を載置すべき位置を変更することによって利用者が操作する範囲を変更するようにしたものであることとしてもよい。
【００２０】
さらに、上記ユーザーインターフェース装置は、原稿を載置するための原稿載置ガラスと、前記原稿載置ガラスを覆うカバーを有する画像読取装置に備えられるものであって、前記変更手段は、前記カバーの操作する範囲を変更することによって利用者が操作する範囲を変更するようにしたものであることとしてもよい。
【発明を実施するための最良の形態】
【００２１】
以下、本発明の実施の形態について、図面を参照しながら説明する。なお、以下の説明では、本発明の実施の形態におけるユーザーインターフェース装置及び画像読取装置の一例として、複写機の場合について説明する。
【００２２】
本発明の一実施形態に係る複写機１は、図１に示すように、操作パネル１０、読み取り部２０、画像形成部３０、カメラ４０及び制御部５０を含んで構成されている。なお、図１（ａ）は複写機１を正面から見た図を、図１（ｂ）は複写機１を右側面から見た図を表している。
【００２３】
操作パネル１０は、使用者に対して各種情報を表示するとともに、使用者からの操作指示に関する情報を受け付ける。具体例として、操作パネル１０は、使用者に対して複写方法などに関する設定情報や、複写機１の状態に関する情報などを表示する表示エリアを備えており、当該表示エリアにタッチセンサがオーバレイされている。これにより、使用者が表示エリアに指を触れることで、操作パネル１０は使用者から複写機１に対する各種の設定情報や操作指示命令の選択を受け付けることができる。あるいは、操作パネル１０は表示エリアとともに各種の操作ボタン等を備え、使用者から当該操作ボタンの押下による操作指示を受け付けることとしてもよい。なお、操作パネル１０は利用者が操作指示を行う操作部の一例である。
【００２４】
また、本実施形態においては、操作パネル１０は操作パネル駆動部１１により複写機１の本体と接続されており、後述するように、操作パネル駆動部１１は制御部５０の制御に基づいて操作パネル１０の位置を変化させる。この操作パネル駆動部１１は、例えば操作パネル１０の垂直方向の高さを変化させるモータ及びラック・ピニオンを備える。またこの操作パネル駆動部１１は、操作パネル１０を支持する支持体が操作パネル１０の傾斜角度を可変とするために、操作パネル１０を傾斜方向に回動させるモータ及びこのモータで駆動される回転雲台を備えてもよい。ここで傾斜方向とは操作パネル１０の表示エリア面の仰角を変化させる方向である。
【００２５】
読み取り部２０は、読み取り対象となる紙などの原稿が載置されて、当該載置された原稿を画像として読み取る。ここでは、読み取り部２０は、原稿載置ガラス２１、カバー２２、スキャナ２４を含んで構成されている。また、読み取り部２０は、読み取り部載置台２５の上に載置されているものとする。
【００２６】
原稿載置ガラス２１は、読み取り対象となる原稿が載置されるコンタクトガラスなどのガラスであり、スキャナ２４によってそのガラス面が読み取られる。使用者は、原稿載置ガラス２１のガラス面上の所定の載置基準位置に対して、複写したい原稿の四隅の一つを合わせるようにセットすることで、複写したい原稿を読み取らせることができる。なお、原稿載置ガラス２１は、読み取り対象となる原稿を利用者が載置するための原稿載置部の一例である。
【００２７】
カバー２２は、スキャナ２４による読み取り時に原稿載置ガラス２１を遮蔽するための部材であって、使用者が手動で開閉できるように、カバー回動部２３により読み取り部２０の本体と接続されている。また、カバー回動部２３は、制御部５０の制御に基づいて回動することによりカバー２２を開閉したり、カバー２２の可動範囲を規制したりする。また、カバー２２は、カバー２２の上にセットされた複数枚の原稿を順次スキャナ２４の所定の読み取り部に送る自動原稿送り装置（ＡＤＦ）を備えてもよい。
【００２８】
スキャナ２４は、原稿載置ガラス２１のガラス面に載置された原稿、又はカバー２２に備えられたＡＤＦから送られた原稿をスキャンすることにより画像を読み取る。そして、読み取った画像を制御部５０に対して出力する。
【００２９】
画像形成部３０は、スキャナ２４が読み取った画像を制御部５０が必要に応じて加工することで得られる複写対象画像を、紙などの媒体上に形成する。これにより、複写機１は使用者が載置した原稿を複写することができる。
【００３０】
カメラ４０は、複写機１の周辺の所定範囲の画像を撮像し、得られた撮像画像を制御部５０に対して出力する。本実施の形態においては、カメラ４０は複写機１を使用するために複写機１に近づく使用者を撮像することで、複写機１の各部に対する使用者の操作可能範囲を推定するために必要な情報を制御部５０に提供する。
【００３１】
制御部５０は、例えばＣＰＵ等を含んで構成されており、上述した複写機１の各部の制御を行う。また、スキャナ２４が読み取ったスキャン画像に対して必要に応じてトリミングなどの加工を行う画像処理を実行することで、複写対象画像を生成し、画像形成部３０に対して出力する。
【００３２】
さらに、本実施の形態において制御部５０は、複写機１の各部に対する使用者の操作可能範囲を推定し、推定して得られた操作可能範囲の情報に応じて複写機１の各部に対して各種の調整制御を行う。この処理の内容について、以下、図２のフロー図に基づいて説明する。
【００３３】
まず、使用者Ｕが複写機１を使用するために複写機１に近づくと、制御部５０は、カメラ４０が所定範囲を撮像して得られる撮像画像を取得する（Ｓ１）。
【００３４】
次に制御部５０は、Ｓ１の処理により取得した撮像画像を解析することで、複写機１を使用しようとしている使用者Ｕの操作可能範囲を推定する（Ｓ２）。ここでは具体例として、制御部５０は、使用者Ｕの目の高さに関する情報（アイレベル情報）を取得することにより、使用者Ｕの操作可能範囲を推定する。
【００３５】
制御部５０がアイレベル情報を取得する場合、例えば以下のようにする。まず、撮像画像に対して顔認識処理などの画像解析を実行することで、使用者Ｕの目の位置を特定する。次いで、特定した目の位置について、撮像画像上を水平方向に横断する所定の基準線に対する高さＬを算出する。一例として、特定した二つの目の位置と基準線との間の距離がＬ１及びＬ２である場合、基準線に対する目の高さＬは、例えばＬ１及びＬ２の平均値として計算式Ｌ＝（Ｌ１＋Ｌ２）／２により算出できる。なお、目の位置が基準線より上にある場合Ｌは正の値になり、基準線より下にある場合Ｌは負の値になる。
【００３６】
ここで、撮像画像上の基準線は、実際に複写機１が設置された床面に対する所定の基準高度に対応するものとする。所定の基準高度は、一般的な成人の目の高さなどに基づいて予め定められた高度値である。制御部５０は、基準線に対する目の高さＬと、撮像画像を取得した時点におけるカメラ４０から使用者Ｕまでの距離の情報と、に基づいて、基準高度に対する差分値としてアイレベル情報を算出できる。このようにして得られたアイレベル情報は、複写機１の標準状態が想定している標準的な使用者の目の高さと、実際の使用者Ｕの目の高さとの間の差分を表している。
【００３７】
なお、制御部５０は、カメラ４０から使用者Ｕまでの距離として、所定の標準値を用いてもよいし、例えば所定の間隔だけ離れて設置された複数のカメラを用いて使用者Ｕを撮像することにより当該距離を算出してもよい。あるいは、撮像画像における被写体のピントのずれに関する情報に基づいて推定するなどの方法で取得してもよい。
【００３８】
また、制御部５０は、使用者Ｕの目の位置の特定に代えて、例えば顔の位置などを画像解析により特定することで、標準的な顔に対する目の位置の関係に基づいてアイレベル情報を取得することとしてもよい。
【００３９】
Ｓ２の処理によりアイレベル情報の算出により操作可能範囲を推定した制御部５０は、続いて、推定した操作可能範囲に基づいて複写機１の各部に対する調整制御を行う（Ｓ３）。すなわち、前述した処理により認識された身体的特徴に基づいて、複写機１の利用者が操作する範囲を変更する。なお、アイレベル情報の絶対値が所定の値以下の場合には、使用者Ｕの目の高さは基準高度から一定の範囲内にあることになるので、制御部５０は調整制御を行わないこととしてもよい。
【００４０】
具体例として、制御部５０は、調整制御として以下に説明する複数の制御の少なくとも一つを、アイレベル情報に基づいて行う。
【００４１】
第１の調整制御の例として、操作パネル１０の位置変更制御について説明する。制御部５０は、操作パネル駆動部１１を制御することにより、操作パネル１０の向き、又は高さをアイレベル情報の値に応じて決定する変化量だけ標準状態から変化させる。これにより、操作パネル１０の使用者Ｕに対する相対位置を変化させることができ、操作パネル１０を使用者Ｕにとって見やすい、また操作しやすい位置に調整することができる。具体例として、操作パネル１０の向きを変化させる場合について図３に、また操作パネル１０の高さを変化させる場合について図４に示している。これらの図において、ともに破線による矩形は調整前の標準状態における操作パネル１０の位置を表しており、矢印は操作パネル１０の移動する過程を表している。図３においては、車椅子に座った状態の使用者Ｕが操作パネル１０の表示内容を見やすいように、操作パネル１０の向きが下向きに変化している。また、図４においては、車椅子に座った状態の使用者Ｕが操作しやすいように、操作パネル１０の位置が低くなるように変化している。
【００４２】
第２の調整制御の例として、読み取り部２０の高度制御について説明する。制御部５０は、読み取り部載置台２５を制御することにより、読み取り部２０の高さをアイレベル情報の値に応じて決定する変化量だけ標準状態から変化させる。これにより、使用者Ｕが原稿を読み取り部２０上に載置したり、読み取り部２０が読み取った後の原稿を回収したりしやすくなるように、読み取り部２０の高さを調整できる。具体例として、図５は、車椅子に座った状態の使用者Ｕに応じて読み取り部２０の高度が下がった状態の複写機１を表している。
【００４３】
第３の調整制御の例として、載置基準位置の変更制御について、原稿載置ガラス２１を上から見た図である図６を用いて説明する。ここでは、原稿載置ガラス２１上の標準状態における載置基準位置は、一般的な使用者にとっての置きやすさを考慮して、図６に表されるように、左側奥の点Ｐに設定されていることとする。通常の場合、使用者は原稿の四隅の一端が点Ｐに一致するように、原稿載置ガラス２１上に原稿を載置する。
【００４４】
ここで、制御部５０は、アイレベル情報の値が所定の値以下であり、したがって使用者Ｕの目の高さが所定高度より低い位置にあると推定した場合、載置基準位置を例えば左側手前の点Ｑに変更する。これにより、使用者Ｕは原稿の四隅の一端が点Ｑに一致するように、図６の例において示されるように原稿載置ガラス２１の手前側に原稿を載置することができる。そのため、例えば車椅子に座った状態の使用者Ｕは、視線や手の届きにくい奥側に原稿を合わせる場合に比較して、原稿を載置しやすくなる。
【００４５】
なお、載置基準位置を変更した場合、制御部５０は、載置基準位置を変更したことを表す情報や、変更後の載置基準位置を表す情報を表示することとしてもよい。これにより、使用者は原稿載置ガラス２１上のどこに原稿を置くべきか迷うことがなくなる。具体例として、制御部５０は、載置基準位置を表す情報を操作パネル１０に表示させてもよいが、原稿載置ガラス２１上に表示させることとしてもよい。図６の例においては、制御部５０は載置基準位置を変更した場合にランプＬを点灯させることにより、載置基準位置を点Ｑに変更したことを表示する。また、ランプＬに代えて矢印型のマークを表示させるなどの制御を行ってもよい。
【００４６】
第４の調整制御の例として、カバー２２の可動範囲制御について説明する。標準状態において図１に示すようにカバー２２が開いた状態の場合、例えば車椅子に座った状態の使用者Ｕはカバー２２に手が届かず、カバー２２を閉めることができない場合がある。このような場合に、制御部５０は、カバー回動部２３を制御することにより、図７の例に示すようにカバー２２をアイレベル情報に応じて決定する角度まで閉じた状態になるよう変化させる。これにより、使用者Ｕは例えば原稿載置ガラス２１上に原稿を載置したい場合、そのまま載置してカバー２２を閉めることができる。また、カバー２２上のＡＤＦに原稿を載置して読み取らせたい場合には、手の届く範囲にあるカバー２２を手で閉めてから、ＡＤＦ上に原稿を載置することもできる。
【００４７】
また、制御部５０は、カバー回動部２３を制御することにより、アイレベル情報に応じて決定する角度θまでしかカバー２２が開かないように、カバー２２の可動範囲を規制する。例えば、アイレベル情報が示すアイレベルの範囲に対応づけて、予め開く最大角度（最大開度）θを、段階的に定めておく。そして、段階的に設定された各最大開度θにおいてカバー回動部２３の回動角度を規制するために、カバー回動部２３の回動軸の動径方向に凸部を設けておき、最大開度に相当する位置にて当該凸部に当接する位置と、凸部に当接しない位置とを、例えばソレノイドなどで往復移動するピンを設ける。そして、規制する最大開度に対応するピンを上記凸部に当接する位置まで移動させて、回動範囲を規制すればよい。
【００４８】
これにより、カバー２２を使用者Ｕが手で開く場合にも一定角度以上は開かないように制御し、カバー２２が使用者Ｕの手の届かない範囲まで開いてしまうことを防ぐことができる。例えば図７の例においては、カバー２２の原稿載置ガラス２１に対する角度が０度から最大開度θ度までの可動範囲で開閉するように制御する。このことで上記θ度を越えて開かないように規制でき、使用者Ｕの手が届かなくなってしまうことを防いでいる。
【００４９】
以上説明した例のような調整制御は、使用者がカメラ４０の視野内に入ってから複写機１のすぐ前に立つまでの間に行うことができる。そのため、複写機１は使用者が複写機１を使用する態勢になる前に調整制御を行うことができ、使用者を待たせることなく使用者の使用しやすい状態に各部を制御できる。
【００５０】
また、制御部５０は、調整制御を行う際に、調整制御を行っている旨の情報を操作パネル１０に表示させたり、あるいはスピーカ（不図示）から調整制御を行っている旨の音声情報を出力させたりすることとしてもよい。これにより、使用者を驚かせることがなくなり、使用者は安心して複写機１を使用することができる。
【００５１】
調整制御が完了すると、複写機１は使用者Ｕの指示操作に基づいて原稿の複写を行う（Ｓ４）。ここで、スキャナ２４が原稿載置ガラス２１のガラス面を読み取って得られた画像を複写する場合、制御部５０は、読み取った画像のうち、変更後の載置基準位置と原稿サイズとに基づいて所定領域に含まれる画像をトリミング処理により複写対象画像として取得する。そして、当該複写対象画像を画像形成部３０に出力させることにより、載置基準位置に合わせて載置された原稿を複写することができる。
【００５２】
また、使用者が原稿の複写等の作業を終えた後は、制御部５０は操作パネル１０の位置や読み取り部２０の高度、原稿載置ガラス２１の載置基準位置など、調整制御を行った各部を標準状態に戻す制御を行ってもよい。これにより、複写機１は標準的な目の高さを持つと想定される使用者にとって使いやすい状態に戻ることとなる。
【００５３】
具体的に、制御部５０は例えば以下のような条件に基づいて使用者の作業が終了したと判定する。すなわち、操作パネル１０に対する指示操作がなされない時間が所定時間以上継続した場合や、設定情報を標準状態に戻す設定クリア命令や作業終了を示す指示操作などが使用者から操作パネル１０に対してなされた場合などである。あるいは、カメラ４０の撮像画像を解析することによりカメラ４０の視野内から使用者がいなくなったことを検知した場合に標準状態に戻す制御を行うこととしてもよい。さらに、カメラ４０の視野内から使用者が外れた状態が一定時間継続した場合に標準状態に戻す制御を行うこととしてもよい。
【００５４】
なお、以上の説明においては、使用者Ｕの操作可能範囲を推定するためにアイレベル情報を用いることとしたが、これは利用者の身体的特徴を認識する処理の一例であり、制御部５０はこれ以外の情報を取得することで操作可能範囲を推定することとしてもよい。例えば、制御部５０は、カメラ４０による撮像画像を解析して、使用者の肩の位置などを特定することにより、使用者Ｕの手の届く高さに関する情報を取得することとしてもよい。また、例えばカメラ４０に代えて赤外線センサ等のセンサを用いることにより、使用者Ｕの背の高さに関する情報を取得することとしてもよい。
【００５５】
また、制御部５０は、これらの操作可能範囲を推定するための情報を複数の種類取得し、組み合わせて用いることにより、調整制御における操作パネル１０や読み取り部２０、カバー２２の位置の変化量を決定することもできる。さらに、例えば操作パネル１０の向きをアイレベル情報に応じて変化させるとともに、読み取り部２０の高さやカバー２２の可動範囲については手の届く高さに関する情報に応じて調整制御を行うなど、それぞれ異なる情報に応じて調整制御を行うこととしてもよい。
【００５６】
また、本実施の形態に係る複写機は、以上説明したような構造のものに限られない。例えば、図８の例に示すように、操作パネル１０が標準状態において横向きに設置された複写機の場合、使用者の操作可能範囲に応じて、操作パネル１０の向きを図の矢印に示すように変化させてもよい。あるいは、図９の例に示すように、縦置きされた操作パネル１０を、斜面に沿って移動させ、操作パネル駆動部１１によって高さを変化させるときに使用者Ｕからの距離が併せて変化するよう制御することとしてもよい。このように奥行きの制御を併せて行うことで、例えば身長が高く、従って手の長さも長いと推定される使用者に対しては、操作パネル１０の使用者からの距離を離すことで、様々な身長の使用者にとって操作しやすくできる。
【００５７】
以上説明した本実施の形態によれば、使用者に関する情報を予め登録しておくことなく、使用者の操作可能範囲に応じて操作パネル、読み取り部、原稿載置ガラス上の載置基準位置、カバー等の調整制御を行うことで、多様な使用者にとって使いやすい状態に各部を調整でき、使用者の利便性を向上できる。また、調整に際して、使用者に特別な指示操作を要求することなく各部の調整を行うことができる。
【００５８】
また、以上説明した調整制御の内容は、適宜組み合わせて用いてもよい。
【００５９】
また、以上の説明においては、ユーザーインターフェース装置の一例として複写機の場合について説明したが、本発明の実施の形態はこれに限られず、例えばキーボード等の利用者による操作の対象となる操作部等を含んだ情報処理装置（ユーザーインターフェース装置）に適用可能である。また、ユーザーインターフェース装置は、複写機などの画像読取装置等に備えられて、当該画像読取装置等を制御する独立したユニット装置であってもよい。
【図面の簡単な説明】
【００６０】
【図１】本発明の実施の形態に係る複写機１の概略の構成を表す構成図である。
【図２】制御部５０が実行する制御処理の一例を表すフロー図である。
【図３】操作パネル１０の向きを変化させる制御を行った際の、複写機１の側面図である。
【図４】操作パネル１０の高さを変化させる制御を行った際の、複写機１の側面図である。
【図５】読み取り部２０の高さを変化させる制御を行った際の、複写機１の側面図である。
【図６】原稿載置ガラス２１を上から見た状態を表す図である。
【図７】カバー２２の位置を変化させる制御を行った際の、複写機１の側面図である。
【図８】複写機の操作パネルの向きを変化させる制御の一例を表す図である。
【図９】複写機の操作パネルの高さ及び使用者からの距離を変化させる制御の一例を表す図である。
【符号の説明】
【００６１】
１  複写機、１０  操作パネル、１１  操作パネル駆動部、２０  読み取り部、２１  原稿載置ガラス、２２  カバー、２３  カバー回動部、２４  スキャナ、２５  読み取り部載置台、３０  画像形成部、４０  カメラ、５０  制御部。
【図１】
2007158646.tif 000003
【図２】
2007158646.tif 000004
【図３】
2007158646.tif 000005
【図４】
2007158646.tif 000006
【図５】
2007158646.tif 000007
【図６】
2007158646.tif 000008
【図７】
2007158646.tif 000009
【図８】
2007158646.tif 000010
【図９】
2007158646.tif 000011